(57)【要約】【課題】製造作業が容易で、しかもポケットの前方側への出っ張り度合いを可及的に抑えることができる浮力材付き釣り用上着のポケット構造を提供する。【解決手段】上着本体の前身頃１に板状の浮力材３，４を備え、前身頃１を構成する表地のうちの左右の下側部分のそれぞれにポケット７，９を備え、各ポケット７，９の開口を、横向きの第１開口部２１と、第１開口部２１の外側端から下方へ向かう縦向きの第２開口部２２とから構成し、各ポケット７，９の開口に、開口を閉じる開閉自在なスライドファスナー２３を備えるとともに、スライドファスナー２３を構成する一対のテープを各ポケットの開口を構成するポケット用生地の縁部とこれに対応する表地１５，１６の部位とにそれぞれ直接又は生地を介して止着することによりマチ部を構成した。【選択図】図１
2008150742.tif 000002
【特許請求の範囲】
【請求項１】
上着本体の前身頃に板状の浮力材を備え、該前身頃を構成する表地のうちの左右の下側部分のそれぞれにポケットを備え、前記各ポケットの開口を、左右方向に伸びるとともに上端に位置する横向きの第１開口部と、この第１開口部の前身頃の左右方向中央部から離間する側となる外側端から下方へ向かう縦向きの第２開口部とから構成し、各ポケットの開口に、該開口を閉じる開閉自在なスライドファスナーを備えるとともに、該スライドファスナーを構成する一対のテープを各ポケットの開口を構成するポケット用生地の縁部とこれに対応する前記表地の部位とにそれぞれ直接又は生地を介して止着することによりマチ部を構成したことを特徴とする浮力材付き釣り用上着のポケット構造。
【請求項２】
前記生地が、前記表地とは別のマチ部形成用の生地からなり、このマチ部形成用生地の一端を該表地に止着し、該マチ部形成用生地の他端に前記スライドファスナーを構成する一方のテープを止着し、前記マチ部形成用生地の幅を前身頃の左右方向中央部から離間する側ほど幅広になるように設定したことを特徴とする請求項１記載の浮力材付き釣り用上着のポケット構造。
【請求項３】
前記第１開口部の前身頃の左右方向中央部側端を、前記ポケットの前身頃の左右方向中央部側端よりも外側に離間した位置にずらしたことを特徴とする請求項１又は２記載の浮力材付き釣り用上着のポケット構造。
【請求項４】
前記ポケット形成用生地のマチ部形成側端縁のうちの前身頃の左右方向中央部側部分の上端を、これに対応する前記表地の部位の上下位置よりも低い位置に設定して、前記スライドファスナーを閉止した状態で前身頃の左右方向中央部側部分のマチ部が前方側ほど下方に位置する前下がり傾斜姿勢に構成してなる請求項１〜３のいずれかに記載の浮力材付き釣り用上着のポケット構造。
【請求項５】
前身頃の左右それぞれに前記浮力材を備え、各浮力材を、前身頃の中央部に位置する中央部分と、この中央部分の表面と略面一状態で配置され前身頃の中央部から離間する横側部に位置する横側部分の少なくとも２つの部分から構成したことを特徴とする請求項１〜４のいずれかに記載の浮力材付き釣り用上着のポケット構造。
【請求項６】
前記中央部分と横側部分とを別々に収納可能な収納空間を備えたメッシュ状の収納袋を備えてなる請求項５記載の浮力材付き釣り用上着のポケット構造。
【発明の詳細な説明】
【技術分野】
【０００１】
本発明は、例えばフローティングベストと称される浮力材付き釣り用上着の前身頃にポケットを備えてなる浮力材付き釣り用上着のポケット構造に関する。
【背景技術】
【０００２】
この種のフローティングベストは、上着本体を構成する左右の前身頃及び後身頃内に、発泡プラスチックからなる板状の浮力材をそれぞれ備えている。各浮力材は、前身頃や後身頃の形状に合わせて形成され、左右の前身頃及び後身頃内をほぼ埋めるようになっている。
又、このようなフローティングベストにおいては、ラインやカッター等の各種の釣り用小物を収納することができるポケットを左右の前身頃それぞれの下側の外面に付設したものが多い。
このように板状の浮力材を前身頃に備えさせることによって、前身頃そのものが所定の厚みを有しているものになり、この厚みのある前身頃の表面に前側に突出して備えられたポケットに前記釣り用小物を収納すると、ポケットが前方側に膨出してしまう結果、前身頃の厚みと相俟って更に前方側にポケットが大きく位置してしまうことになってしまう。このような状態になると、足元が見え難くなるだけでなく、釣竿を前身頃の前方で操作する場合に出っ張ったポケットが邪魔になってしまう不都合がある。
【０００３】
そこで、ポケットの出っ張りを抑えたものが既に提案されている。これは、浮力材の表面のうちの、ポケットに対応した位置に凹部を形成し、ポケットの収容空間の少なくとも一部が凹部内に形成されたものである（例えば、特許文献１参照）。
【特許文献１】特開２００３−１２９３１１号公報（図１参照）
【発明の開示】
【発明が解決しようとする課題】
【０００４】
特許文献１の構成では、浮力材に凹部を形成する手間がかかるだけでなく、その凹部に合わせてポケット形成用の生地の上下左右の位置を確認しながら該ポケット形成用生地を取り付けなければならず、製造作業に手間がかかるものであった。
また、前記凹部を形成する分だけ浮力材の体積が減ってしまうことになるだけでなく、その部分の浮力材の強度が弱くなる不都合があり、改善の余地があった。
【０００５】
本発明が前述の状況に鑑み、解決しようとするところは、製造作業が容易で、しかもポケットの前方側への出っ張り度合いを可及的に抑えることができる浮力材付き釣り用上着のポケット構造を提供することを課題とする。
【課題を解決するための手段】
【０００６】
本発明の浮力材付き釣り用上着のポケット構造は、上着本体の前身頃に板状の浮力材を備え、該前身頃を構成する表地のうちの左右の下側部分のそれぞれにポケットを備え、前記各ポケットの開口を、左右方向に伸びるとともに上端に位置する横向きの第１開口部と、この第１開口部の前身頃の左右方向中央部から離間する側となる外側端から下方へ向かう縦向きの第２開口部とから構成し、各ポケットの開口に、該開口を閉じる開閉自在なスライドファスナーを備えるとともに、該スライドファスナーを構成する一対のテープを各ポケットの開口を構成する生地の縁部とこれに対応する前記表地の部位とにそれぞれ直接又は生地を介して止着することによりマチ部を構成したことを特徴としている。
上記のように、スライドファスナーを構成する一対のテープを各ポケットの開口を構成する生地の縁部とこれに対応する前記表地の部位とにそれぞれ直接又は生地を介して止着することにより、各ポケットの前身頃の中央端にマチ部が存在することがないから、各ポケット内に釣り用の小物を収納したとしても、各ポケットの前身頃の中央端側が前方側に大きく膨出（突出）することがない。しかも、各ポケットの開口が、左右方向に伸びるとともに上端に位置する横向きの第１開口部と、この第１開口部の前身頃の左右方向中央部から離間する側となる外側端から下方へ向かう縦向きの第２開口部とから構成しているから、ポケットと同一側に位置する手をポケット内に挿入し易くなり、ポケット内の収納物を迅速に取り出すことができる。
【０００７】
前記生地が、前記表地とは別のマチ部形成用の生地からなり、このマチ部形成用生地の一端を該表地に止着し、該マチ部形成用生地の他端に前記スライドファスナーを構成する一方のテープを止着し、前記マチ部形成用生地の幅を前身頃の左右方向中央部から離間する側ほど幅広になるように設定してもよい。
【０００８】
前記第１開口部の前身頃の左右方向中央部側端を、前記ポケットの前身頃の左右方向中央部側端よりも外側に離間した位置にずらしてもよい。
【０００９】
前記ポケット形成用生地のマチ部形成側端縁のうちの前身頃の左右方向中央部側部分の上端を、これに対応する前記表地の部位の上下位置よりも低い位置に設定して、前記スライドファスナーを閉止した状態で前身頃の左右方向中央部側部分のマチ部が前方側ほど下方に位置する前下がり傾斜姿勢に構成してもよい。
【００１０】
前身頃の左右それぞれに前記浮力材を備え、各浮力材を、前身頃の中央部に位置する中央部分と、この中央部分の表面と略面一状態で配置され前身頃の中央部から離間する横側部に位置する横側部分の少なくとも２つの部分から構成してもよい。
【００１１】
前記中央部分と横側部分とを別々に収納可能な収納空間を備えたメッシュ状の収納袋を備えてもよい。
【発明の効果】
【００１２】
各ポケットの前身頃の中央端にマチ部が存在しないようにマチ部を備えさせることによって、各ポケット内に釣り用の小物を収納することができながらも、各ポケットの前身頃の中央端側が前方側に大きく膨出（突出）することがないから、浮力材に凹部を形成すること等の余分な加工をすることが不要になり、製造作業が容易になるだけでなく、浮力材の強度的な問題もなく、しかもポケットの前方側への出っ張り度合いを可及的に抑えることができ、釣竿の操作も行い易い浮力材付き釣り用上着のポケット構造を提供することができる。しかも、各ポケットの開口が、左右方向に伸びるとともに上端に位置する横向きの第１開口部と、この第１開口部の前身頃の左右方向中央部から離間する側となる外側端から下方へ向かう縦向きの第２開口部とから構成しているから、ポケットと同一側に位置する手をポケット内に挿入し易くなり、収納物の出し入れを容易迅速に行うことができる利点もある。
【００１３】
前記生地が、前記表地とは別のマチ部形成用の生地からなり、このマチ部形成用生地の一端を該表地に止着し、該マチ部形成用生地の他端に前記スライドファスナーを構成する一方のテープを止着し、前記マチ部形成用生地の幅を前身頃の左右方向中央部から離間する側ほど幅広になるように設定することによって、前身頃の左右方向中央部から離間する側ほどポケット内の収納体積を増大させながらも、前身頃の左右方向中央部側でのポケットの出っ張りを抑えることができる。
【００１４】
前記第１開口部の前身頃の左右方向中央部側端を、前記ポケットの前身頃の左右方向中央部側端よりも外側に離間した位置にずらすことによって、前身頃の左右方向中央部側端でのポケットの出っ張りを可及的に抑えることができ、足元がより一層見えやすくなるだけでなく、釣竿を前身頃の前方でより一層操作しやすくなる。
【００１５】
前記ポケットを形成するためのポケット形成用の生地のマチ部形成側端縁のうちの前身頃の左右方向中央部側部分の上端を、これに対応する前記表地の部位の上下位置よりも低い位置に設定して、前記スライドファスナーを閉止した状態で前身頃の左右方向中央部側部分のマチ部が前方側ほど下方に位置する前下がり傾斜姿勢に構成することによって、前身頃の左右方向中央部側端でのポケットの出っ張りを更に抑えることができる。
【００１６】
前身頃の左右それぞれに前記浮力材を備え、各浮力材を、前身頃の中央部に位置する中央部分と、この中央部分の表面と略面一状態で配置され前身頃の中央部から離間する横側部に位置する横側部分の少なくとも２つの部分から構成することによって、それら中央部分と横側部とを一体化したものに比べて、身体に沿って浮力材を位置させることができるから、前記ポケットが突出する突出位置もその分だけ、身体側へ位置させることができ、更に有利に使用することができる浮力材付き釣り用上着とすることができる。
【００１７】
前記中央部分と横側部分とを別々に収納可能な収納空間を備えたメッシュ状の収納袋を備えさせることによって、通気性を確保しながらも、前身頃内で浮力材を構成する中央部分と横側部分とが大きく移動してしまうことを回避することができる。
【発明を実施するための最良の形態】
【００１８】
図１に、浮力材付き釣り用の上着の一例である袖なしの上着であるベストを示しているが、袖のある上着であってもよい。このベストは、例えば磯釣りの際に装着されるフローティングベストして使用されているが、波止釣りや船釣り等で使用してもよい。
前記ベストは、上着本体を構成する前身頃１と、この前身頃１の左右両端を介して連結される後身頃２とを備え、特に後身頃２を構成する裏地の大部分を通気性のよいメッシュ状の生地から構成することによって、高い通気性を確保することができ、好ましいが、通気性を有さない生地から構成することもできる。前記前身頃１は、左前身頃１Ａと右前身頃１Ｂとを備え、それら左前身頃１Ａと右前身頃１Ｂそれぞれの内部に、浮力材３又は４を備えさせている。これら左前身頃１Ａ及び右前身頃１Ｂの左右方向中心部側端に備えさせたベスト着脱用スライドファスナー５を開閉操作することで身体にベストを着脱することができるようになっているが、他の構成であってもよい。つまり、前記ベスト着脱用スライドファスナー５にて着脱できる構成であるが、他の開閉手段を用いてもよいし、又、開閉手段を無くした構成、つまり頭から被って着るようなベストであってもよい。
【００１９】
前記左右に配置した浮力材３，４は、左右対称型になっている以外は、同一構成であるため、左側に配置した浮力材３を中心に説明する。
図１及び図５（ａ），（ｂ）に示すように、浮力材３又は４は、前身頃の中央部（前方側）に位置する中央部分３Ａ又は４Ａと、この中央部分３Ａ又は４Ａの表面と略面一状態で配置され前身頃の中央部から離間する外側に位置し、身体の横側に位置する横側部分３Ｂ又は４Ｂとを備え、前記中央部分３Ａ又は４Ａが、上部に位置する山型の上側部分３ａと、この上側部分３ａの下側に位置する中央部本体部分３ｂの２つの部材から構成されている。このように、浮力材３，４を３つに分割することによって、身体の表面に沿わせることができる利点があるが、上側部分３ａと中央部本体部分３ｂとを一体化した中央部分３Ａ又は４Ａと、横側部分３Ｂ又は４Ｂの２つの部材から構成してもよいし、４つ以上に分割した部材にて構成する他、場合によっては１つの部材にて構成することもできる。ここでは、３つの部材の厚みを全て同一（ほぼ同一でもよい）にしているが、異なる厚みの部材から構成することもできる。また、このような３つの部材、上側部分３ａ、中央部本体部分３ｂ、横側部分３Ｂを、それぞれ別々に収納空間を備えたメッシュ状の収納袋１０を備えている。この収納袋１０は、２枚のメッシュ状の生地１０Ａ，１０Ｂをそれらの外周縁を内折りにして重ね合わせ、その重ね合わせた部分を縫着することによって、袋状に構成したものである。そして、それら上側部分３ａ、中央部本体部分３ｂ、横側部分３Ｂのうちの隣り合う部分間で生地１０Ａ，１０Ｂ同士を２本の糸１３，１３にて縫い付けることによって、３つの部材３ａ，３ｂ，３Ｂを別々に仕切った状態で収納することができるようになっているが、他の方法で仕切るようにしてもよい。図５（ａ），（ｂ）に示す１１は、前記３つの部材３ａ，３ｂ，３Ｂが収納された収納袋１０を前身頃の内部に収納したときに該前身頃の内部に備えている係止部としての雌型（又は雄型）のドット釦（図示せず）に係止して内部に固定することができる係止具としての雄型（又は雌型）ドット釦を示しており、収納袋１０が前身頃の内部で移動し難くすることができ、好ましいが、無くてもよい。尚、前記係止具１１は、収納袋１０に縫着された生地１２に備えさせている。
【００２０】
図１に示すように、前記前身頃１のうちの左前身頃１Ａの上側部分に上ポケット６を備えるとともに、左前身頃１Ａの下側部分に下ポケット７を備えている。又、右前身頃１Ｂの上側部分に上ポケット８を備えるとともに、右前身頃１Ｂの下側部分に下ポケット９を備えているが、上ポケット６，８の個数及び形状は自由に変更可能である。
【００２１】
前記上側のポケット６又は８は、左右対称となる形状（図１では左右の形状が多少異なっているように見えている）になっているとともに、共に正面視においてほぼ直角三角形状になっているが、長方形状等の他の形状であってもよい。
図１に示すように、上側のポケット６又は８の開口を、上方からの収納物の出し入れを可能にするべく、上着本体の左右方向両端側から中心部に向かうほど下方に位置する傾斜開口に形成され、この開口を閉じるための開閉自在な開閉手段としてのスライドファスナー１４を備え、このスライドファスナー１４は、一対のテープ（基布）と、それらテープに互いに対向するように取り付けられた多数の歯からなるエレメント（務歯部）と、前記一対のエレメントを噛み合わせる、又はその噛み合いを解除操作するための一対のスライダー（開閉部材）と、これらスライダーに取り付けられた摘み部１４Ａ，１４Ｂとからなり、図１に示すように、スライドファスナー１４の開閉方向を上下で変更することができるようになっているが、１つのスライダーのみで構成してもよい。
【００２２】
前記ポケット６，８は、前身頃１Ａ，１Ｂを構成する左右の表地１５，１６に、マチ部を構成するＬ字上に折り曲げられた左右の生地１７，１８の幅方向表地側端を縫着し、その各生地１７，１８の幅方向他端側（前方側）に前記スライドファスナー１４，１４を介してポケット用生地１９，２０の外周縁を縫着するとともに、該ポケット用生地１９，２０の前身頃の左右方向中央部から離間する外側端を表地１５，１６に縫着している。
【００２３】
前記下ポケット７，９について説明すれば、図１〜図４に示すように、各ポケット７，９の開口を、左右方向に伸びるとともに上端に位置する横向きのほぼ水平となる第１開口部２１と、この第１開口部２１の前身頃の左右方向中央部から離間する側となる外側端から下方へ円弧形状となって向かう縦向きの第２開口部２２とから構成し、各ポケット７，９の開口に、該開口を閉じる開閉自在なスライドファスナー２３を備えるとともに、該スライドファスナー２３を構成する一対のテープ２５，２４を各ポケット７，９の開口を構成するポケット用生地２６，２７の縁部とこれに対応する前記表地１５，１６の部位とにそれぞれ止着している。前記のような開口を備えさせることによって、ポケットと同一側に位置する手をポケット内に直ちに挿入することができる利点がある。
【００２４】
詳述すれば、一対のテープ２４，２５のうちのポケット用生地２６側のテープ２５を該ポケット用生地２６に直接縫着し、他方のテープ２４を表地１５とは別のマチ部形成用生地２８を介して縫着することにより、スライドファスナー２３とマチ部形成用生地２８とでマチ部Ｍを構成している。ここでは、マチ部形成用生地２８を用いて間接的にテープ２４を前記表地１５に固定するようにしたが、幅の広いテープ２４，２５を用いて、そのテープ２４を前記表地１５に直接固定して、スライドファスナー２３のみでマチ部Ｍを構成することもできる。又、前記とは反対側のテープ２５とポケット用生地２６との間に他のマチ部形成用の生地を介在させてもよいし、両方のテープにマチ部形成用の生地をそれぞれ介在させて実施することもできる。
【００２５】
図２に示すように、前記マチ部形成用生地２８の幅Ｈを前身頃１Ａの左右方向中央部から離間する側ほど幅広になるように設定することによって、前身頃の左右方向中央部から離間する側ほどポケット７内の収納体積を増大させながらも、前身頃１Ａの左右方向中央部側（図２では左側）でのポケット７の出っ張りを抑えることができるようにしている。尚、ポケット７の底部を構成する底部形成用の生地２９も備えさせるとともに、その底部形成用生地２９も前記マチ部形成用生地２８と同様に前身頃１Ａの左右方向中央部から離間する側ほど幅広になるように設定されている。つまり、前身頃１Ａの左右方向中央部側では非常に狭い幅になり、前身頃の左右方向中央部から離間する側で収納体積を増大させるようにしている。
【００２６】
図１及び図２に示すように、前記第１開口部２１の前身頃１Ａの左右方向中央部側端２１Ａを、前記ポケット７の前身頃１Ａの左右方向中央部側端よりも外側に離間した位置にずらして、第１開口部２１の前身頃１Ａの左右方向中央部側端２１Ａと前身頃１Ａの左右方向中央部との間にマチ部が形成されない領域Ｒを備えさせることによって、その領域Ｒでのポケット７，９の前方側への膨出を抑えることができるようにしているが、マチ部が形成されない領域Ｒを備えないで実施することもできる。
【００２７】
図１、図２及び図３（ａ），（ｂ）に示すように、前記ポケット７，９を形成するためのポケット形成用の生地２６，２７のマチ部形成側端縁（図１では上端縁）のうちの前身頃の左右方向中央部側部分の上端７Ａ，９Ａを、これに対応する前記表地１５，１６の部位（マチ部取付位置）の上下位置１５Ａ，１６Ａよりも低い位置に設定し、他の残りの前身頃の左右方向中央部から離間する外側に位置する上端７Ｂ，９Ｂを、これに対応する前記表地１５，１６の部位の上下位置１５Ｂ，１６Ｂとほぼ同一高さに設定することにより、前記スライドファスナー２３，２３を閉止した状態で前身頃１Ａ，１Ｂの左右方向中央部側部分のマチ部Ｍが図３（ａ）に示すように、前方側ほど下方に位置する前下がり傾斜姿勢になり、前身頃１Ａ，１Ｂの左右方向中央部から離間する外側部分のマチ部Ｍが図３（ｂ）に示すように、ほぼ水平姿勢になっている。このように前身頃の左右方向中央部側部分のマチ部Ｍを前下がり傾斜姿勢にする点と、前述したマチ部形成用生地２８の幅Ｈを前身頃１Ａの左右方向中央部から離間する側ほど幅広になるように設定する点とから、図３（ａ），（ｂ）に示すように、ポケット７内の前後方向の距離のうち、前身頃１Ａの左右方向中央部側部分の距離Ｄ１を、前身頃１Ａの左右方向中央部から離間する外側部分の距離Ｄ２よりも短くすることができるから、ポケット７の出っ張り位置を前身頃の左右方向中央部側部分（図３（ａ）に示す）を、前身頃１Ａの左右方向中央部から離間する外側部分（図３（ｂ）に示す）よりも後方に位置させることができ、ポケット７が邪魔になり難くなる効果がある。ここでは、前記前身頃の左右方向中央部側部分を前記第１開口部２１の範囲とし、前身頃１Ａ，１Ｂの左右方向中央部から離間する外側部分を前記第２開口部２２の範囲としているが、これらの範囲に限定されるものではない。
【００２８】
そして、前記のようにポケット７，９を構成することによって、前身頃１Ａ，１Ｂの左右方向中央部から離間する外側部分が前身頃に対して前方に膨出（突出）する度合いが大きくなっているが、前述のように、前記浮力材３，４が前身頃の中央部に位置する中央部分３Ａ，４Ａと、この中央部分３Ａ，４Ａの表面と略面一状態で配置され前身頃の中央部から離間する横側部に位置する横側部分３Ｂ，４Ｂとから構成されていることから、身体に沿った状態に前身頃をすることができるから、平板状の中央部分３Ａ，４Ａに対して横側部分３Ｂ，４Ｂを平板状に延びるようにそれらを一体化した場合に比べて、横側部分３Ｂ，４Ｂを身体側へ接近させることができるから、横側部分３Ｂ，４Ｂにおけるポケット７，９の前方側への突出位置を後退させることができる効果がある。
【００２９】
前記スライドファスナー２３は、図２及び図４にも示すように、一対のテープ（基布）２４，２５と、それらテープ２４，２５に互いに対向するように取り付けられた多数の歯からなるエレメント（務歯部）３０，３０と、前記一対のエレメント３０，３０を噛み合わせる、又はその噛み合いを解除操作するための２つのスライダー（開閉部材）３１，３２と、このスライダー３１，３２に取り付けられた摘み部３３，３４とからなっているが、開閉手段は、前述同様に他の構成であってもよい。前記スライドファスナー２３の長手方向両端には、それら両端部を上から覆うループ状に構成されたカバー部材３５，３６を備えている。又、前記ポケット内には表地１５に内ポケット用生地３７を縫いつけて、左右方向に２つの内ポケット３８，３８を備えている。又、スライドファスナー２３を開放してポケット７内の収納物を取り出す際に、第２開口部２２の下側部分から収納物が飛び出すことがないように、ポケット６の口を開くことにより、下側部分を閉鎖するための飛び出し防止部材３９を備えている。この飛び出し防止部材３９は、スライドファスナー２３を閉じた状態では図の破線で示すように折り畳まれた状態になり、スライドファスナー２３を開放して開口を大きく開くことにより実線で示すように展開状態となって下側の開口を閉鎖することができるようになっているが、無くてもよい。
【図面の簡単な説明】
【００３０】
【図１】釣り用上着の正面図である。
【図２】左前身頃の下側の部分のポケットを示す要部の正面図である。
【図３】（ａ）は図２におけるＡ−Ａ線断面図、（ｂ）は図２におけるＢ−Ｂ線断面図である。
【図４】左前身頃の下側の部分のポケットを開放状態にした斜視図である。
【図５】（ａ）は浮力材を収納した収納袋の正面図、（ｂ）は図５（ａ）におけるＣ−Ｃ線断面図である。
【符号の説明】
【００３１】
１  前身頃、１Ａ  左前身頃、１Ｂ  右前身頃、２  後身頃、３，４  浮力材、３Ａ，４Ａ  中央部分、３Ｂ，４Ｂ  横側部分、３ａ  上側部分、３ｂ  中央部本体部分、５  ベスト着脱用スライドファスナー、６，８  上ポケット、７，９  下ポケット、７Ａ，９Ａ  上端、７Ｂ，９Ｂ  上端、１０  収納袋、１０Ａ，１０Ｂ  生地、１１  係止具、１２  生地、１３  糸、１４  スライドファスナー、１４Ａ，１４Ｂ  摘み部、１５，１６  表地、１５Ａ，１６Ａ、１５Ｂ，１６Ｂ  上下位置、１７，１８  生地、１９，２０  ポケット用生地、２１  開口部、２１Ａ  左右方向中央部側端、２２  開口部、２３  スライドファスナー、２４，２５  テープ、２６，２７  ポケット用生地、２８  マチ部形成用生地、２９  底部形成用生地、３０  エレメント、３１，３２  スライダー、３３，３４  摘み部、３５，３６  カバー部材、３７  内ポケット用生地、３８  内ポケット、３９  飛び出し防止部材、Ｈ  幅、Ｍ  マチ部、Ｒ  領域
【図１】
2008150742.tif 000003
【図２】
2008150742.tif 000004
【図３】
2008150742.tif 000005
【図４】
2008150742.tif 000006
【図５】
2008150742.tif 000007